(57)【要約】      （修正有）【課題】寸法の異なる物品を収容できる包装箱を提供する。【解決手段】緩衝体１０及び包装箱２０を形成し、収容する物品の大きさに応じて包装箱２０の上部フラップ３１より延設された挿入片３３を折曲げて緩衝体１０のスリット１４に挿入するか、包装箱２０の上部フラップ３２より延設された挿入片３４を折曲げて緩衝体１０のスリット１５又は斜めスリット１６に挿入することができる。スリット１６に挿入片３４を挿入した場合は、支持片３５が物品の一部を天面より抑え支持する。【選択図】図１
0003165365.tif 000002
【実用新案登録請求の範囲】
【請求項１】
底板、内側板、外側板からなる緩衝体と包装箱とで構成され、緩衝体に物品を収容した後、包装箱の上部フラップを折り曲げ、そのフラップから延設された挿入片を緩衝体のスリット又は斜めスリットのいずれかに挿入するかまたはしないことで、物品の大きさに応じて内部支持ができることを特徴とする包装箱。
【請求項２】
前記緩衝体と包装箱の構成において、緩衝体の斜めスリットに挿入片を挿入し、折曲線を谷折りすることで、支持片が物品の一部を天面より抑え、支持することを特徴とする包装箱。
【考案の詳細な説明】
【技術分野】
【０００１】  本考案は、大きさの異なる物品、特にボトルなどの円柱状の物品を安定して収容できる包装箱に関するものである。
【背景技術】
【０００２】  インターネット等を介した通信販売では、消費者によって購入する物品の組み合わせが異なることがある。一般に物品毎の寸法に合せた包装箱を用意するが、物品の種類が増えるに従って包装箱も増えてしまい、管理負担が大きくなってしまう。従って、異なる寸法の物品に対して共通して使用できる包装箱が求められている。【０００３】  従来、この種の包装箱として、特許文献１に記載の包装箱が提案されている。これは緩衝体の底面より蛇腹状の緩衝板を設けることによって、異なる寸法の物品を収容可能とするものである。
【先行技術文献】
【０００４】
【特許文献１】特開平１０−２０３５２５号公報
【考案の概要】
【考案が解決しようとする課題】
【０００５】  しかし、特許文献１に示された包装箱は、蛇腹状の緩衝板だけでは上下震動による物品の跳ね上がりを押さえることができないため、顧客のニーズに合わないという不都合があった。【０００６】  そこで本考案は、上述の問題点に鑑み、異なる寸法の物品に対して共通して使用でき、かつ安価に製造することができる包装箱を提供することを目的とする。
【課題を解決するための手段】
【０００７】  上述の目的を達成するため、本考案は、底板１１、内側板１２ａ、１２ｂ、外側板１３からなる緩衝体１０と包装箱２０とで構成され、緩衝体１０に物品を収容した後、包装箱２０の上部フラップ３１及び３２を折り曲げ、そのフラップから延設された挿入片３３及び３４を緩衝体１０のスリット１４、１５又は斜めスリット１６のいずれかに挿入するかまたはしないことで、物品の大きさに応じて内部支持ができることを特徴とする。【０００８】  また、本考案は、前記緩衝体１０と包装箱２０の構成において、緩衝体１０の斜めスリット１６に挿入片３４を挿入し、折曲線ｄを谷折りすることで、支持片３５が物品の一部を天面より抑え、支持することを特徴とする。
【考案の効果】
【０００９】  この考案に係る包装箱では、緩衝体のスリットに包装箱上部フラップより延設された挿入片を差し込むことで、物品の大きさに応じた内部支持体を形成できるので、１つの包装箱が異なる寸法の物品に対して共通して使用でき、かつ安価に製造することができる包装箱を提供することができる。【００１０】  また、支持片が物品の一部を天面より抑えることで、包装箱の高さに満たない物品への振動を緩和することができる。
【図面の簡単な説明】
【００１１】
【図１】本考案の実施例を示す斜視図である。
【図２】本考案の実施例に基づく緩衝体の展開図である。
【図３】本考案の実施例に基づく緩衝体の斜視図である。
【図４】本考案の実施例に基づく包装箱の展開図である。
【図５】本考案の実施例に基づく包装箱の斜視図である。
【図６】本実施例の包装箱に物品を収容した状態を示す斜視図である。
【図７】上記図６とは別の物品を収容した状態を示す斜視図である。
【図８】上記図６及び図７とは別の物品を収容した状態を示す斜視図である。
【考案を実施するための形態】
【００１２】  以下、本考案の一実施形態を図面に従って説明する。
【００１３】  緩衝体１０は図２に示すように、長方形状の底板１１の対向する長辺より順次、内側板１２ａ、１２ｂ、外側板１３が連設されている。内側板１２ａ、１２ｂの境界となる折曲線上には、スリット１４と１５及び斜めスリット１６が設けられている。
【００１４】  底板１１と内側板１２ａの境界となる折曲線は谷折りし、その他の折曲線は山折りをすることで、図３に示すように緩衝体１０が形成される。
【００１５】  次に、緩衝体１０を収納する包装箱２０について説明する。図４に示すように、第一妻板２１、表面側板２２、第二妻板２３、背面側板２４、糊代片２５がそれぞれ縦方向の折曲線ａを介して連設されている。
【００１６】  第一妻板２１、表面側板２２、第二妻板２３、背面側板２４の下端縁にはそれぞれ横方向の折曲線ｂを介して、第一妻板舌片４１、表面側板底片４２、第二妻板舌片４３、背面側板底片４４が連設されている。
【００１７】  表面側板底片４２の第一妻板舌片４１寄りに、折曲線ｂに対して斜め４５度の角度で設けられた折曲線ｃを介して略三角形状の固定片４５が区画形成されている。また、同様に背面側板底片４４の第二妻板舌片４３寄りに、折曲線ｂに対して斜め４５度の角度で設けられた折曲線ｃを介して略三角形状の固定片４６が区画形成されている。
【００１８】  第一妻板２１の上端縁には、横方向の折曲線を介して上部フラップ３１が連設され、上部フラップ３１の先端縁には、横方向の折曲線を介して挿入片３３が連設されている。
【００１９】  第二妻板２３の上端縁には、横方向の折曲線を介して上部フラップ３２が連設され、上部フラップ３２の先端縁には、横方向の折曲線を介して挿入片３４が連設されている。さらに挿入片３４は折曲線ｄを介して支持片３５が連設されている。
【００２０】  背面側板２４の上端縁には、横方向の折曲線を介して天板３６が連設され、天板３６の先端縁には、横方向の折曲線を介して天板差込片３７が連設されている。
【００２１】  本考案の包装箱のブランクは、以上のような構造からなっている。続いて、このブランクを包装箱に組み立てる手順を説明する。
【００２２】  ブランクを縦方向の折曲線ａに沿って折り曲げる。次いで、第一妻板舌片４１、表面側板底片４２、第二妻板舌片４３、背面側板底片４４をそれぞれ横方向の折曲線ｂに沿って折り込む。
【００２３】  表面側板底片４２の固定片４５を斜め方向の折曲線ｃに沿って谷折りし、背面側板底片４４の固定片４６を斜め方向の折曲線ｃに沿って谷折りする。
【００２４】  第二妻板舌片４３の表面と固定片４６の裏面を接着し、第一妻板舌片４１の表面と固定片４１の裏面を接着し、糊代片２５を第一妻板２１の裏面に接着する。
【００２５】  このようにしてブランクを扁平に折りたたんだ状態に形成する。この扁平に折りたたんだブランクをワンタッチで角筒状に起こすと、表面側板底片４２の嵌合部４２１と背面側板底片４４の嵌合部４４１とは互いに嵌合して、底部が固定され図５に示すように包装箱２０を形成する。
【００２６】  前記緩衝体１０を包装箱２０に収容した状態は、図１に示すようになる。
【００２７】  包装箱２０の上部フラップ３２を折線に沿って折り曲げ、そのフラップから延設された挿入片３４を緩衝体１０のスリット１５に挿入することで、図６に示すように挿入片３４が緩衝体１０の長手方向における仕切となる。
【００２８】  また、包装箱２０の上部フラップ３１を折線に沿って折り曲げ、そのフラップから延設された挿入片３３を緩衝体１０のスリット１４に挿入することで、挿入片３３が緩衝体１０の長手方向における仕切となる。次に、上部フラップ３２を折線に沿って折り曲げ、そのフラップから延設された挿入片３４を緩衝体１０の斜めスリット１６に挿入し、続いて折曲線ｄを谷折りすることで、図７に示すように形成され、反発力によって支持片３５が物品の一部を天面より支持することができる。
【００２９】  また、緩衝体１０に物品を収容した後、包装箱２０の上部フラップ３１及び３２を折曲線に沿って折り曲げ、そのフラップから延設された挿入片３３及び３４は緩衝体１０のスリット１４、１５又は斜めスリット１６のいずれにも挿入しないことで図８に示すように包装箱２０の最大収容寸法となる。
【００３０】  物品を収容した後、天板３６を折曲線に沿って折曲げ、さらに天板３６より延設された天板差込片３７を折曲げ、天板差込片３７の表面が表面側板２２の裏面に接面し、包装箱２０の封緘が完了する。
【符号の説明】
【００３１】１０    緩衝体
１１    底板
１２ａ  内側板
１２ｂ  内側板
１３    外側板
１４    スリット
１５    スリット
１６    斜めスリット
２０    包装箱
２１    第一妻板
２２    表面側板
２３    第二妻板
２４    背面側板
２５    糊代片
３１    上部フラップ
３２    上部フラップ
３３    挿入片
３４    挿入片
３５    支持片
３６    天板
３７    天板差込片
４１    第一妻板舌片
４２    表面側板底片
４３    第二妻板舌片
４４    背面側板底片
４５    固定片
４６    固定片
４２１  嵌合部
４４１  嵌合部
ａ      折曲線
ｂ      折曲線
ｃ      折曲線
ｄ      折曲線
【図１】
0003165365.tif 000003
【図２】
0003165365.tif 000004
【図３】
0003165365.tif 000005
【図４】
0003165365.tif 000006
【図５】
0003165365.tif 000007
【図６】
0003165365.tif 000008
【図７】
0003165365.tif 000009
【図８】
0003165365.tif 000010
【手続補正書】
【提出日】平成22年10月22日(2010.10.22)
【手続補正１】
【補正対象書類名】明細書
【補正対象項目名】０００７
【補正方法】変更
【補正の内容】
【０００７】  上述の目的を達成するため、本考案は、底板１１の長辺両端より順次、内側板１２ａ、隣接する内側板１２ｂ、外側板１３を延設し、各側板の境界線となる折曲線を折曲加工することにより、断面が略三角形状になる緩衝部を底板１１の両端に有する緩衝体１０と、筒状本体が四角形断面であって、一対の対向する側壁の上縁からそれぞれ上部フラップ３１、３２が延設され、さらに上部フラップ３１、３２の上縁からはそれぞれ屈曲自在な挿入片３３、３４が延設された包装箱２０からなり、緩衝体１０を包装箱２０の内部に組み込んだ後、内側板１２ａと隣接する内側板１２ｂの境界線となる折曲線上に設けられたスリット１４、１５又は斜めスリット１６にいずれかの挿入片３３若しくは３４を挿入するかまたは挿入しないで構成することを特徴とする。
【手続補正２】
【補正対象書類名】明細書
【補正対象項目名】０００８
【補正方法】変更
【補正の内容】
【０００８】  また、本考案は、前記緩衝体１０と包装箱２０の構成において、緩衝体１０の斜めスリット１６に挿入片３４を挿入し、挿入片３４と支持片３５の境界線となる折曲線ｄを谷折りすることで、支持片３５が物品の一部を天面より抑え、支持することを特徴とする。
【手続補正３】
【補正対象書類名】実用新案登録請求の範囲
【補正対象項目名】全文
【補正方法】変更
【補正の内容】
【実用新案登録請求の範囲】
【請求項１】
底板の長辺両端より順次、内側板、隣接する内側板、外側板を延設し、各側板の境界線となる折曲線を折曲加工することにより、断面が略三角形状になる緩衝部を底板の両端に有する緩衝体と、筒状本体が四角形断面であって、一対の対向する側壁の上縁からそれぞれ上部フラップが延設され、さらに上部フラップの上縁からはそれぞれ屈曲自在な挿入片が延設された包装箱からなり、緩衝体を包装箱の内部に組み込んだ後、内側板と隣接する内側板の境界線となる折曲線上に設けられたスリット又は斜めスリットにいずれかの挿入片を挿入するかまたは挿入しないで構成する包装箱。
【請求項２】
前記緩衝体と包装箱の構成において、緩衝体の斜めスリットに挿入片を挿入し、挿入片と支持片の境界線となる折曲線を谷折りすることで、支持片が物品の一部を天面より抑え、支持することを特徴とする請求項１記載の包装箱。
【手続補正４】
【補正対象書類名】図面
【補正対象項目名】図１
【補正方法】変更
【補正の内容】
【図１】
0003165365.tif 000011